(57)【要約】【課題】  本発明は、上記事情によりなされたもので、その目的は、複数のツメを設けても組み立てが容易となるユニットの取り付け構造を提供することを目的とする。【解決手段】  シャーシフレーム３に対して、プリント基板を実装したユニット基板４をスライドさせて取り付けるユニット基板の取り付け構造において、両端部に設けられ、ユニット基板４のスライド方向に対し、非直線となる位置に複数のツメ部５、６を有するユニット基板４と、前記ツメ部５、６と当接される受け部材７を有するフレームシャーシ３とを有することを特徴とする。【選択図】      図３
2008160008.tif 000002
【特許請求の範囲】
【請求項１】
シャーシフレームに対して、プリント基板を実装したユニット基板をスライドさせて取り付けるユニット基板の取り付け構造において、
両端部に設けられ、ユニット基板のスライド方向に対し、非直線となる位置に複数のツメ部を有するユニット基板と、
前記ツメ部と当接される受け部材を有するフレームシャーシと
を有することを特徴とするユニットの取り付け構造。
【発明の詳細な説明】
【技術分野】
【０００１】
本発明は、電子機器の構造に関し、特に基板等を実装するユニットの取り付け構造に関するものである。
【背景技術】
【０００２】
例えばテレビジョン受信機等の電子機器では、組み立てを容易にするため、内部にシャーシフレーム（骨組み）を設けておき、このシャーシフレームに各種プリント基板等を実装したユニット基板をスライドさせて取り付ける方法が用いられることがある。
【０００３】
テレビジョン受像機の内部でユニット基板をスライドさせて取り付ける場合は、ユニット基板を挿入した後、容易に抜けなくするため、例えば特許文献１のように、リブや係合用舌片等を用いる方法が、知られている。
【特許文献１】実開昭６１−１５６２９０号公報（第２頁）
【発明の開示】
【発明が解決しようとする課題】
【０００４】
しかしながら、取り付けるユニットが大きくなると、取り付け後のユニットのがたつき等を防ぐため、リブや係合用舌片等のツメも複数設ける必要が生ずる。この場合、複数のツメは、シャーシフレームとの係合を確保する目的で設けられるため、ユニットの端部に、図７に示すように直線的な複数のツメを配置することになる。この場合、ユニットをシャーシフレームに挿入する際、図８に示すように、挿入方向に対し先頭のツメが引っかかってしまうため、ツメ部品を一度持ち上げ、ちょうど良いところで部品を下げた後に挿入する必要があるという問題点があった。
【０００５】
本発明は、上記事情によりなされたもので、その目的は、複数のツメを設けても組み立てが容易となるユニットの取り付け構造を提供することを目的とする。
【課題を解決するための手段】
【０００６】
上記目的を達成するために本発明は、シャーシフレームに対して、プリント基板を実装したユニット基板をスライドさせて取り付けるユニット基板の取り付け構造において、両端部に設けられ、ユニット基板のスライド方向に対し、非直線となる位置に複数のツメ部を有するユニット基板と、前記ツメ部と当接される受け部材を有するフレームシャーシとを有することを特徴とする。
【０００７】
このような構成を有することにより、ユニット基板のスムーズの挿入が行え、機器の組み立てが容易になる。
【発明の効果】
【０００８】
本発明では、ユニットに非直線の位置になるようにツメを配置したことにより、作業性の向上、組み立て時間の短縮、スムーズなスライドイン・アウトによるサービス性の向上を図ることができる。また、組み立てが容易になるため、部品の変形や損傷を軽減することができる。
【発明を実施するための最良の形態】
【０００９】
以下、図面を参照して本発明の実施の形態を詳細に説明する。
【実施例１】
【００１０】
まず、図１に本発明が実施される電子機器の一例としてテレビジョン装置の概観図を示す。図１（ａ）はテレビジョン装置１の前面側の斜視図、図１（ｂ）は背面側の斜視図である。
【００１１】
また、図２（ａ）はカバーをはずし、背面の端子部のその内部に設けられているシャーシ２を示す図、図２（ｂ）は端子盤を取りはずしたシャーシの骨組み（シャーシフレーム）３の斜視図である。シャーシの骨組み（シャーシフレーム）３にユニット基板４が挿入された形で、実装されている。
【００１２】
図３は、シャーシフレーム３に挿入されるユニット基板４に設けられたツメ部とシャーシフレームの係合状態を説明するための図である。図３に示すように、ユニット基板のツメ部は、片側に複数、設けられているが、ユニット基板のスライド方向から見て奥に位置する第１のツメ部５は、手前側に位置する第２のツメ部６を平行にずらした位置関係に配置されている。
【００１３】
図４はユニット基板のツメ部５、６の位置と挿入状態を説明するための図である。ここでは、点線が作業時の部品可動方向である。図４に示すように、複数のツメ部５、６がスライド方向で重ならないようにずれた位置に配置しているため、ユニット基板を挿入する際に、奥側の第１ツメ部５が、手前の第２のツメ部６を受けるための受け部材７にあたらないため、スムーズに挿入ができるようになる。
【００１４】
図５と図６は、シャーシフレーム３にユニット基板４を挿入する際の関係を説明するための図である。
まず、図５（ａ）の位置では、図６（ａ）に示すようにユニット基板４と、シャーシフレーム受け部材７は接触していない。
次に、図５（ｂ）の位置までユニット基板が挿入されると、図６（ｂ）に示すように第１のツメ５がシャーシフレーム３の受け部材７のある部分まで来ているが、スライド方向から見て位置が平行にずれているため、引っかかることがない。
【００１５】
更に図５（ｃ）のように、ユニット基板４が奥まで挿入されると、図６（ｃ）に示すように、第１のツメ５は受け部材の第１の係合部８に、第２のツメ６は第２の係合部９に当接され、ユニット基板４の挿入が完了する。
【００１６】
このように、ユニット基板４に設けられたツメ部が、スライド方向に対して非直線的な位置に配置されているため、ユニット基板４を受け部材に載せた（当てつけた）状態でそのまま挿入可能となる。
【図面の簡単な説明】
【００１７】
【図１】本発明の実施の形態に関わるテレビジョン装置の外観図。
【図２】本発明の実施の形態に関わるシャーシの構成の外観図。
【図３】本発明の実施の形態に関わるツメ部とシャーシフレームの係合状態を説明するための図
【図４】本発明の実施の形態に関わるツメ部の位置と挿入状態を説明するための図。
【図５】本発明の実施の形態に関わるツメ部とシャーシフレームの係合部の関係を説明するための図。
【図６】本発明の実施の形態に関わるツメ部とシャーシフレームの係合部の関係を説明するための図
【図７】本発明の従来例に関わるツメ部の配置を示す図。
【図８】本発明の従来例に関わる挿入状態を示す図。
【符号の説明】
【００１８】
１・・・テレビジョン装置
２・・・シャーシ
３・・・シャーシの骨組み（シャーシフレーム）
４・・・ユニット基板
５・・・第１のツメ部
６・・・第２のツメ部
７・・・受け部材
８・・・第１の係合部
９・・・第２の係合部
【図１】
2008160008.tif 000003
【図２】
2008160008.tif 000004
【図３】
2008160008.tif 000005
【図４】
2008160008.tif 000006
【図５】
2008160008.tif 000007
【図６】
2008160008.tif 000008
【図７】
2008160008.tif 000009
【図８】
2008160008.tif 000010